(57)【特許請求の範囲】
【請求項１】
音および光の少なくとも一方を発生し当該音および当該光の少なくとも一方が就寝者に到達する位置に設置された機器と接続され、前記機器を制御する制御装置の制御方法であって、
前記就寝者の生体情報に基づき算出された前記就寝者の睡眠状態を表す睡眠状態情報を参照する睡眠状態参照ステップと、
前記睡眠状態情報に基づき、前記機器が発生する音および光の少なくとも一方の発生量について、前記就寝者の睡眠が維持可能で、かつ非就寝者による前記機器の利用が継続可能な第１値を決定する決定ステップと、
前記発生量の上限値を前記第１値に設定する指示情報を前記機器に送信する送信ステップと、
を含む制御方法。
【請求項２】
前記就寝者の生体情報は、生体センサにより取得されたものである、
請求項１記載の制御方法。
【請求項３】
前記生体センサは、前記就寝者が利用する寝具に設置された振動センサを含む、
請求項２記載の制御方法。
【請求項４】
前記生体センサは、前記就寝者が利用する寝具の内部または周囲に設置された電波センサを含む、
請求項２記載の制御方法。
【請求項５】
前記生体センサは、前記就寝者に装着されている、
請求項２記載の制御方法。
【請求項６】
前記機器が設置された部屋と、前記機器が設置された部屋の周囲の部屋との間の防音性能を表す防音性能情報を参照する防音性能参照ステップをさらに含み、
前記機器は、少なくとも音を発生し、
前記発生量は、音量を含み、
前記決定ステップは、前記睡眠状態情報と前記防音性能情報とに基づき、前記機器が発生する音の音量について、前記第１値を決定する、
請求項１記載の制御方法。
【請求項７】
前記就寝者の睡眠状態の履歴を睡眠状態ログに記録する睡眠記録ステップと、
前記機器の動作状態の履歴を機器操作ログに記録する動作記録ステップと、
前記睡眠状態ログと前記機器操作ログとを参照するログ参照ステップと、
前記睡眠状態ログおよび前記機器操作ログに基づき、前記音量の変化と前記睡眠状態の変化との間に相関関係があるか否かを判定する判定ステップと、
前記相関関係があると前記判定ステップにより判定されると、前記防音性能情報を補正する補正ステップと、
をさらに含む請求項６記載の制御方法。
【請求項８】
前記就寝者の睡眠状態の履歴を睡眠状態ログに記録する睡眠記録ステップと、
前記機器の動作状態の履歴を機器操作ログに記録する動作記録ステップと、
前記睡眠状態ログと前記機器操作ログとを参照するログ参照ステップと、
前記睡眠状態ログおよび前記機器操作ログに基づき、前記発生量の変化と前記睡眠状態の変化との間に相関関係があるか否かを判定する判定ステップと、
前記相関関係があると前記判定ステップにより判定されると、前記第１値を補正する補正ステップと、
をさらに含む請求項１記載の制御方法。
【請求項９】
音および光の少なくとも一方を発生し当該音および当該光の少なくとも一方が就寝者に到達する位置に設置された機器を制御する制御方法であって、
前記機器が発生する音および光の少なくとも一方の発生量の上限値を第１値に設定する指示情報を、前記機器と接続された制御装置から受信する受信ステップと、
前記指示情報に基づき前記発生量の上限値を前記第１値に設定する設定ステップと、を含み、
前記第１値は、前記就寝者の生体情報に基づき算出された前記就寝者の睡眠状態を表す睡眠状態情報に基づき、前記就寝者の睡眠が維持可能で、かつ非就寝者による前記機器の利用が継続可能な値として決定されたものである、
制御方法。
【請求項１０】
前記設定ステップにより前記発生量の前記上限値が前記第１値に設定された時に、前記発生量が前記第１値を超えているか否かを判定する判定ステップと、
前記発生量が前記第１値を超えていると前記判定ステップにより判定されると、前記発生量を前記第１値に変更する変更ステップと、
をさらに含む請求項９記載の制御方法。
【請求項１１】
前記変更ステップは、前記発生量を所定の値以下の変化率により減少させて前記第１値に変更する、
請求項１０記載の制御方法。
【請求項１２】
前記発生量の変更指示を受け付けると、前記第１値以下の範囲内で前記発生量を所定の値以下の変化率で変更する変更ステップをさらに含む、
請求項９記載の制御方法。
【請求項１３】
前記機器は、映像と音声とを含むコンテンツを字幕付きで再生可能であり、
前記コンテンツの再生中に、前記発生量が前記第１値を超えていると前記判定ステップにより判定されると、前記コンテンツを字幕付きで再生する再生ステップをさらに含む、
請求項１０記載の制御方法。
【請求項１４】
前記設定ステップにより前記発生量の前記上限値が前記第１値に設定された時に、前記発生量が前記第１値を超えているか否かを判定する判定ステップと、
前記発生量が前記第１値を超えていると前記判定ステップにより判定されると、前記発生量を緩やかに減少させることを促す旨の情報を表示する表示ステップと、
をさらに含む請求項９記載の制御方法。
【請求項１５】
音および光の少なくとも一方を発生し当該音および当該光の少なくとも一方が就寝者に到達する位置に設置された機器と接続され、前記機器を制御する制御装置であって、
前記就寝者の生体情報に基づき算出された前記就寝者の睡眠状態を表す睡眠状態情報を参照する参照部と、
前記睡眠状態情報に基づき、前記機器が発生する音および光の少なくとも一方の発生量について、前記就寝者の睡眠が維持可能で、かつ非就寝者による前記機器の利用が継続可能な第１値を決定する決定部と、
前記発生量の上限値を前記第１値に設定する指示情報を前記機器に送信する送信部と、
を備える制御装置。
【請求項１６】
音および光の少なくとも一方を発生し当該音および当該光の少なくとも一方が就寝者に到達する位置に設置された機器であって、
前記音および光の少なくとも一方の発生量を制御する発生量制御部と、
前記発生量の上限値を第１値に設定する指示情報を、前記機器と接続された制御装置から受信する受信部と、
前記指示情報に基づき、前記発生量制御部による前記発生量の制御範囲の上限値を前記第１値に設定する設定部と、を備え、
前記第１値は、前記就寝者の生体情報に基づき算出された前記就寝者の睡眠状態を表す睡眠状態情報に基づき、前記就寝者の睡眠が維持可能で、かつ非就寝者による前記機器の利用が継続可能な値として決定されたものである、
機器。
【発明の詳細な説明】
【技術分野】
【０００１】
本開示は、就寝者の状態に応じて非就寝者が利用する機器の動作制限を行う制御方法、制御装置及び機器に関する。
【背景技術】
【０００２】
夫婦が利用する寝室において、コミュニケーションや看護の観点から同室が望ましいと考える人が一定数存在する。しかし、生活リズムの違いから夫婦の一方が発生させる生活音により他方の睡眠が妨げられるといった問題がある。
【０００３】
たとえば、一方が就寝中で、他方が就寝前のリラックスの為に音響機器等を利用して音楽を楽しもうとした場合、就寝者の睡眠を阻害することがある。
【０００４】
特許文献１には、遮蔽ブラインドと、指向性スピーカと、任意の一人のみに選択的に照明光を照射可能な範囲選択照明手段とを備え、就寝者に配慮しながら、映像音楽を楽しむことが可能な寝室環境生成システムが開示されている。
【先行技術文献】
【特許文献】
【０００５】
【特許文献１】特開２０１５−１５１５９号公報
【発明の概要】
【発明が解決しようとする課題】
【０００６】
しかしながら、完全に遮音することが可能な遮蔽ブラインドを寝室に設置することは難しい。また、たとえ指向性スピーカを用いたとしても、音波の出力によっては、回折や透過により就寝者へも音が届いてしまう。
【０００７】
また、就寝者の睡眠状態によって光・音の影響度合は異なるが、機器の利用者は、適切な照度・音量を把握することが難しい。仮に機器の利用者が最適と考えるレベルの照度・音量でも、就寝者には不快となり覚醒を促してしまうことがあり得る。
【０００８】
本開示は、就寝者の睡眠を阻害せず、かつ非就寝者が機器を利用できるように機器を制御する制御方法、制御装置及び機器を提供することを目的とする。
【課題を解決するための手段】
【０００９】
本開示の一態様は、音および光の少なくとも一方を発生し当該音および当該光の少なくとも一方が就寝者に到達する位置に設置された機器と接続され、前記機器を制御する制御装置の制御方法であって、前記就寝者の生体情報に基づき算出された前記就寝者の睡眠状態を表す睡眠状態情報を参照する睡眠状態参照ステップと、前記睡眠状態情報に基づき、前記機器が発生する音および光の少なくとも一方の発生量について、前記就寝者の睡眠が維持可能で、かつ非就寝者による前記機器の利用が継続可能な第１値を決定する決定ステップと、前記発生量の上限値を前記第１値に設定する指示情報を前記機器に送信する送信ステップと、を含むものである。
【発明の効果】
【００１０】
上記態様により、機器が発生する音および光の少なくとも一方の発生量の上限値が、就寝者の睡眠が維持可能で、かつ非就寝者による機器の利用が継続可能な第１値に設定されるため、非就寝者は、就寝者の睡眠状態を気にすることなく、機器を利用することが可能となり、就寝者の睡眠が阻害されないようにすることができる。
【図面の簡単な説明】
【００１１】
【図１】本実施の形態において機器制御システムが提供するサービスの全体像を示す図
【図２】本実施の形態において機器メーカがデータセンタ運営会社に該当する例を示す図
【図３】本実施の形態において機器メーカ及び管理会社の両者又はいずれか一方がデータセンタ運営会社に該当する例を示す図
【図４】第１の実施の形態における、機器制御システムの構成図
【図５】機器データベースにおける機器管理情報の例を示す図
【図６】部屋データベースにおける防音性能情報の例を示す図
【図７】記憶部に保存される制限情報の一例を示す図
【図８】第１の実施の形態における、電波センサを用いた機器制御システムの構成図
【図９】機器データベースにおける機器管理情報の更新例を示す図
【図１０】第１の実施の形態における、機器制御システムの初期時の動作シーケンスを示す図
【図１１】第１の実施の形態における、機器制御システムの通常時の動作シーケンスを示す図
【図１２】機器における上限値設定処理の詳細を示すフローチャート
【図１３】機器における音量制御処理の詳細を示すフローチャート
【図１４】住宅コントローラにおける上限値更新処理の詳細を示すフローチャート
【図１５】図１３と異なる手順の音量制御処理の詳細を示すフローチャート
【図１６】図１２と異なる手順の上限値設定処理の詳細を示すフローチャート
【図１７】第２の実施の形態における、機器制御システムの構成を示す図
【図１８】ログデータベースにおけるログ情報の例を示す図
【図１９】防音性能情報が補正されない場合の機器管理情報を示す図
【図２０】部屋データベースにおける補正された防音性能情報を示す図
【図２１】防音性能情報が補正された場合の機器管理情報を示す図
【図２２】第２の実施の形態における、機器制御システムの通常時の動作シーケンスを示す図
【図２３】第３の実施の形態における、機器制御システムの構成を示す図
【図２４】第３の実施の形態における、機器制御システムの初期時の動作シーケンスを示す図
【図２５】映像表示部に表示されたメッセージの一例を示す図
【図２６】サービスの類型１（自社データセンタ型クラウドサービス）における機器制御システムが提供するサービスの全体像を示す図
【図２７】サービスの類型２（ＩａａＳ利用型クラウドサービス）における機器制御システムが提供するサービスの全体像を示す図
【図２８】サービスの類型３（ＰａａＳ利用型クラウドサービス）における機器制御システムが提供するサービスの全体像を示す図
【図２９】サービスの類型４（ＳａａＳ利用型クラウドサービス）における機器制御システムが提供するサービスの全体像を示す図
【発明を実施するための形態】
【００１２】
（本発明の基礎となった知見）
ヒトの睡眠の研究がなされるなかで、就寝前及び就寝中における温熱、音、光環境の睡眠に与える影響が明らかになり、睡眠に適した空気調和機の制御や、照明機器の制御等が検討されている。
【００１３】
一方、複数人の家族が暮らす家を考慮した場合、各々の生活リズムが異なり、全員が同時に就寝、起床するのは稀である。したがって、非就寝者の生活雑音が、就寝者の睡眠を妨害することがある。このため、非就寝者は就寝者を気遣い、なるべく生活雑音を発生させないように行動しようとする。しかし、就寝者の状態を判断することは難しく、必要以上に行動を制限することもある。そのため、就寝者の状態を簡易に知り、かつ、なるだけ自由に行動したいといったニーズがある。上記特許文献１では、これらのニーズを満たすための技術的な解決策に関して、十分に検討はされていなかった。
【００１４】
以上の考察により、本発明者は、以下のように本開示にかかる各態様の発明を想到するに至った。
【００１５】
本開示の第１態様は、
音および光の少なくとも一方を発生し当該音および当該光の少なくとも一方が就寝者に到達する位置に設置された機器と接続され、前記機器を制御する制御装置の制御方法であって、
前記就寝者の生体情報に基づき算出された前記就寝者の睡眠状態を表す睡眠状態情報を参照する睡眠状態参照ステップと、
前記睡眠状態情報に基づき、前記機器が発生する音および光の少なくとも一方の発生量について、前記就寝者の睡眠が維持可能で、かつ非就寝者による前記機器の利用が継続可能な第１値を決定する決定ステップと、
前記発生量の上限値を前記第１値に設定する指示情報を前記機器に送信する送信ステップと、
を含むものである。
【００１６】
本態様によれば、機器が発生する音および光の少なくとも一方の発生量の上限値が、就寝者の睡眠が維持可能で、かつ非就寝者による機器の利用が継続可能な第１値に設定される。したがって、非就寝者は、就寝者の睡眠状態を気にすることなく、機器を利用することができる。また、就寝者の睡眠が阻害されないようにすることができる。
【００１７】
上記第１態様において、例えば、
前記就寝者の生体情報は、生体センサにより取得されたものであってもよい。
【００１８】
上記第１態様において、例えば、
前記生体センサは、前記就寝者が利用する寝具に設置された振動センサを含んでもよい。
【００１９】
上記第１態様において、例えば、
前記生体センサは、前記就寝者が利用する寝具の内部または周囲に設置された電波センサを含んでもよい。
【００２０】
上記第１態様において、例えば、
前記生体センサは、前記就寝者に装着されていてもよい。
【００２１】
上記第１態様において、例えば、
前記機器が設置された部屋と、前記機器が設置された部屋の周囲の部屋との間の防音性能を表す防音性能情報を参照する防音性能参照ステップをさらに含んでもよい。
【００２２】
前記機器は、少なくとも音を発生し、
前記発生量は、音量を含んでもよい。
【００２３】
前記決定ステップは、前記睡眠状態情報と前記防音性能情報とに基づき、前記機器が発生する音の音量について、前記第１値を決定してもよい。
【００２４】
本態様によれば、睡眠状態情報と防音性能情報とに基づき、機器が発生する音の音量について、第１値が決定される。このため、音量の上限値を設定する第１値として、機器が設置された部屋との間の防音性能に応じた値に決定することができる。
【００２５】
上記第１態様において、例えば、
前記就寝者の睡眠状態の履歴を睡眠状態ログに記録する睡眠記録ステップと、
前記機器の動作状態の履歴を機器操作ログに記録する動作記録ステップと、
前記睡眠状態ログと前記機器操作ログとを参照するログ参照ステップと、
前記睡眠状態ログおよび前記機器操作ログに基づき、前記音量の変化と前記睡眠状態の変化との間に相関関係があるか否かを判定する判定ステップと、
前記相関関係があると前記判定ステップにより判定されると、前記防音性能情報を補正する補正ステップと、
をさらに含んでもよい。
【００２６】
音量の変化と睡眠状態の変化との間に相関関係があるということは、睡眠状態が音量の変化の影響を受けたということを意味する。本態様によれば、相関関係があると判定されると、防音性能情報が補正される。したがって、睡眠状態が音量の変化の影響を受け難くすることが可能になる。
【００２７】
上記第１態様において、例えば、
前記就寝者の睡眠状態の履歴を睡眠状態ログに記録する睡眠記録ステップと、
前記機器の動作状態の履歴を機器操作ログに記録する動作記録ステップと、
前記睡眠状態ログと前記機器操作ログとを参照するログ参照ステップと、
前記睡眠状態ログおよび前記機器操作ログに基づき、前記発生量の変化と前記睡眠状態の変化との間に相関関係があるか否かを判定する判定ステップと、
前記相関関係があると前記判定ステップにより判定されると、前記第１値を補正する補正ステップと、
をさらに含んでもよい。
【００２８】
発生量の変化と睡眠状態の変化との間に相関関係があるということは、睡眠状態が発生量の変化の影響を受けたということを意味する。本態様によれば、相関関係があると判定されると、第１値が補正される。したがって、睡眠状態が発生量の変化の影響を受け難くすることが可能になる。
【００２９】
本開示の第２態様は、
音および光の少なくとも一方を発生し当該音および当該光の少なくとも一方が就寝者に到達する位置に設置された機器を制御する制御方法であって、
前記機器が発生する音および光の少なくとも一方の発生量の上限値を第１値に設定する指示情報を、前記機器と接続された制御装置から受信する受信ステップと、
前記指示情報に基づき前記発生量の上限値を前記第１値に設定する設定ステップと、を含み、
前記第１値は、前記就寝者の生体情報に基づき算出された前記就寝者の睡眠状態を表す睡眠状態情報に基づき、前記就寝者の睡眠が維持可能で、かつ非就寝者による前記機器の利用が継続可能な値として決定されたものである。
【００３０】
本態様によれば、機器が発生する音および光の少なくとも一方の発生量の上限値が、就寝者の睡眠が維持可能で、かつ非就寝者による機器の利用が継続可能な第１値に設定される。したがって、非就寝者は、就寝者の睡眠状態を気にすることなく、機器を利用することができる。また、就寝者の睡眠が阻害されないようにすることができる。
【００３１】
上記第２態様において、例えば、
前記設定ステップにより前記発生量の前記上限値が前記第１値に設定された時に、前記発生量が前記第１値を超えているか否かを判定する判定ステップと、
前記発生量が前記第１値を超えていると前記判定ステップにより判定されると、前記発生量を前記第１値に変更する変更ステップと、
をさらに含んでもよい。
【００３２】
本態様によれば、音および光の少なくとも一方の発生量の上限値が第１値に設定された時に、発生量が第１値を超えていると判定されると、発生量が第１値に変更される。したがって、就寝者の睡眠が阻害されないようにすることができる。
【００３３】
上記第２態様において、例えば、
前記変更ステップは、前記発生量を所定の値以下の変化率により減少させて前記第１値に変更してもよい。
【００３４】
本態様によれば、音および光の少なくとも一方の発生量は、所定の値以下の変化率により緩やかに減少して第１値に変更される。したがって、就寝者の睡眠が阻害されないようにすることができる。
【００３５】
上記第２態様において、例えば、
前記発生量の変更指示を受け付けると、前記第１値以下の範囲内で前記発生量を所定の値以下の変化率で変更する変更ステップをさらに含んでもよい。
【００３６】
本態様によれば、発生量の変更指示が受け付けられると、第１値以下の範囲内で発生量が所定の値以下の変化率で緩やかに変更される。したがって、就寝者の睡眠が阻害されないようにすることができる。
【００３７】
上記第２態様において、例えば、
前記機器は、映像と音声とを含むコンテンツを字幕付きで再生可能であってもよい。
【００３８】
前記コンテンツの再生中に、前記発生量が前記第１値を超えていると前記判定ステップにより判定されると、前記コンテンツを字幕付きで再生する再生ステップをさらに含んでもよい。
【００３９】
本態様によれば、音および光の少なくとも一方の発生量が第１値を超えていると判定されると、発生量が第１値に変更され、コンテンツの再生中であれば、コンテンツが字幕付きで再生される。したがって、音量が第１値まで低下した場合でも、字幕で音声を補助することができる。
【００４０】
上記第２態様において、例えば、
前記設定ステップにより前記発生量の前記上限値が前記第１値に設定された時に、前記発生量が前記第１値を超えているか否かを判定する判定ステップと、
前記発生量が前記第１値を超えていると前記判定ステップにより判定されると、前記発生量を緩やかに減少させることを促す旨の情報を表示する表示ステップと、
をさらに含んでもよい。
【００４１】
本態様によれば、音および光の少なくとも一方の発生量の上限値が第１値に設定された時に、発生量が第１値を超えていると判定されると、発生量を緩やかに減少させることを促す旨の情報が表示される。したがって、ユーザが、機器を操作して発生量を緩やかに減少させることにより、就寝者の睡眠が阻害されないようにすることができる。
【００４２】
本開示の第３態様は、
音および光の少なくとも一方を発生し当該音および当該光の少なくとも一方が就寝者に到達する位置に設置された機器と接続され、前記機器を制御する制御装置であって、
前記就寝者の生体情報に基づき算出された前記就寝者の睡眠状態を表す睡眠状態情報を参照する参照部と、
前記睡眠状態情報に基づき、前記機器が発生する音および光の少なくとも一方の発生量について、前記就寝者の睡眠が維持可能で、かつ非就寝者による前記機器の利用が継続可能な第１値を決定する決定部と、
前記発生量の上限値を前記第１値に設定する指示情報を前記機器に送信する送信部と、
を備えるものである。
【００４３】
本開示の第４態様は、
音および光の少なくとも一方を発生し当該音および当該光の少なくとも一方が就寝者に到達する位置に設置された機器であって、
前記音および光の少なくとも一方の発生量を制御する発生量制御部と、
前記発生量の上限値を第１値に設定する指示情報を、前記機器と接続された制御装置から受信する受信部と、
前記指示情報に基づき、前記発生量制御部による前記発生量の制御範囲の上限値を前記第１値に設定する設定部と、を備え、
前記第１値は、前記就寝者の生体情報に基づき算出された前記就寝者の睡眠状態を表す睡眠状態情報に基づき、前記就寝者の睡眠が維持可能で、かつ非就寝者による前記機器の利用が継続可能な値として決定されたものである。
【００４４】
以下、本開示の実施の形態について図面を参照しながら説明する。なお、以下で説明する実施の形態は、いずれも本開示の一具体例を示すものである。以下の実施の形態で示される数値、形状、構成要素、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。また全ての実施の形態において、各々の内容を組み合わせることも出来る。
【００４５】
（提供するサービスの全体像）
まず、本実施の形態における機器制御システムが提供するサービスの全体像について説明する。
【００４６】
図１は、本実施の形態における機器制御システムが提供するサービスの全体像を示す図である。機器制御システムは、グループ１１００、データセンタ運営会社１１１０及びサービスプロバイダ１１２０を備える。
【００４７】
グループ１１００は、例えば戸建て住宅や、集合住宅等の家庭であり、その規模を問わない。グループ１１００は、第１から第４の機器を含む複数の機器１１０１、第１のセンサ及び第２のセンサを含む複数のセンサ１１０４、住宅コントローラ１１０３及びホームゲートウェイ１１０２を備える。複数の機器１１０１は、インターネットと接続可能な機器（例えば、スマートフォン、パーソナルコンピュータ（ＰＣ）、テレビ、又はステレオ等）、及びそれ自身ではインターネットと接続不可能な機器（例えば、照明機器、洗濯機又は冷蔵庫等）を含む。複数の機器１１０１は、それ自身ではインターネットと接続不可能であっても、ホームゲートウェイ１１０２を介してインターネットと接続可能となる機器を含んでもよい。また、ユーザ１０１０は、グループ１１００内の複数の機器１１０１を使用する。
【００４８】
データセンタ運営会社１１１０は、クラウドサーバ１１１１を備える。クラウドサーバ１１１１は、インターネットを介して様々な機器と連携する仮想化サーバである。クラウドサーバ１１１１は、主に通常のデータベース管理ツール等で扱うことが困難な巨大なデータ（ビッグデータ）等を管理する。データセンタ運営会社１１１０は、データの管理、クラウドサーバ１１１１の管理、及びそれらを行うデータセンタの運営等を行っている。データセンタ運営会社１１１０が行っている役務の詳細については後述する。
【００４９】
ここで、データセンタ運営会社１１１０は、データの管理又はクラウドサーバ１１１１の管理のみを行っている会社に限らない。例えば、図２に示すように、複数の機器１１０１のうちの一つの機器を開発又は製造している機器メーカが、データの管理又はクラウドサーバ１１１１の管理等を行っている場合は、機器メーカがデータセンタ運営会社１１１０に該当する。また、データセンタ運営会社１１１０は一つの会社に限らない。例えば、図３に示すように、機器メーカ及び管理会社が共同又は分担してデータの管理又はクラウドサーバ１１１１の管理を行っている場合は、両者又はいずれか一方がデータセンタ運営会社１１１０に該当する。
【００５０】
サービスプロバイダ１１２０は、サーバ１１２１を備える。ここで言うサーバ１１２１とは、その規模は問わず、例えば、個人用ＰＣ内のメモリ等も含む。また、サービスプロバイダ１１２０がサーバ１１２１を備えていない場合もある。
【００５１】
次に、上記の機器制御システムにおける情報の流れを説明する。
【００５２】
まず、グループ１１００の第１から第４の機器、第１及び第２のセンサ、住宅コントローラ１１０３は、各ログ情報をデータセンタ運営会社１１１０のクラウドサーバ１１１１にそれぞれ送信する。クラウドサーバ１１１１は、第１から第４の機器のログ情報、第１及び第２のセンサのセンサ情報及び住宅コントローラのログを集積する（図１の矢印１１３１）。
【００５３】
ここで、ログ情報とは、複数の機器１１０１の例えば操作内容や、運転状況又は動作日時等を示す情報である。例えば、ログ情報は、テレビの音量操作履歴や視聴履歴、レコーダーの録画予約情報、洗濯機の運転日時、洗濯物の量、照明機器の操作履歴、冷蔵庫の開閉日時、又は冷蔵庫の開閉回数などを含むが、これらの情報に限らず、種々の機器から取得が可能な種々の情報を含んでもよい。
【００５４】
なお、ログ情報は、インターネットを介して複数の機器１１０１自体から直接クラウドサーバ１１１１に提供されてもよい。また、ログ情報は、複数の機器１１０１から一旦住宅コントローラ１１０３またはホームゲートウェイ１１０２に集積され、住宅コントローラ１１０３またはホームゲートウェイ１１０２からクラウドサーバ１１１１に提供されてもよい。さらに、ログ情報として複数のセンサ１１０４のセンサーデータもクラウドサーバ１１１１に提供されてもよい。
【００５５】
次に、データセンタ運営会社１１１０のクラウドサーバ１１１１は、集積したログ情報を一定の単位でサービスプロバイダ１１２０に提供する。ここで、一定の単位とは、データセンタ運営会社１１１０が集積した情報を整理してサービスプロバイダ１１２０に提供することの出来る単位でもよいし、サービスプロバイダ１１２０が要求する単位でもよい。また、一定の単位で提供するとしているが、一定の単位でなくてもよく、状況に応じて提供する情報量が変化してもよい。ログ情報は、必要に応じてサービスプロバイダ１１２０が保有するサーバ１１２１に保存される（図１の矢印１１３２）。
【００５６】
そして、サービスプロバイダ１１２０は、ログ情報をユーザに提供するサービスに適合する情報に整理し、ユーザまたは、住宅コントローラ１１０３に提供する。情報が提供されるユーザは、複数の機器１１０１を使用するユーザ１０１０でもよいし、外部のユーザ１０２０でもよい。
【００５７】
ユーザ１０１０，１０２０への情報提供方法としては、例えば、サービスプロバイダ１１２０から直接ユーザ１０２０へ情報が提供されてもよい（図１の矢印１１３３，１１３４）。また、ユーザ１０１０への情報提供方法としては、例えば、データセンタ運営会社１１１０のクラウドサーバ１１１１を再度経由して、ユーザ１０１０に情報が提供されてもよい（図１の矢印１１３５，１１３６）。また、データセンタ運営会社１１１０のクラウドサーバ１１１１は、ログ情報をユーザに提供するサービスに適合する情報に整理し、サービスプロバイダ１１２０に提供してもよい。
【００５８】
なお、ユーザ１０１０は、ユーザ１０２０と異なっていても同一であってもよい。
【００５９】
（実施の形態１）
本実施の形態１では、機器１１０１として、光および音の少なくとも一方を発生する機器、例えばテレビ受像機（以下、単に「テレビ」と称される）、照明機器などを利用する場合の一例が説明される。
【００６０】
（構成）
図４は、本開示の第１の実施の形態における、機器制御システムの構成を概略的に示すブロック図である。図４に示されるように、第１の実施の形態における機器制御システムは、生体センサ２０１０、機器２０２０、及び住宅コントローラ１１０３を備える。
【００６１】
生体センサ２０１０は、感圧センサ２０１１、体動計算部２０１２、呼吸計算部２０１３、心拍計算部２０１４、睡眠状態判定部２０１５、通信制御部２０１６を備える。体動計算部２０１２、呼吸計算部２０１３、心拍計算部２０１４、睡眠状態判定部２０１５は、例えば中央演算処理装置（ＣＰＵ）と、メモリとを含む。体動計算部２０１２、呼吸計算部２０１３、心拍計算部２０１４、睡眠状態判定部２０１５は、ＣＰＵに限られず、同一機能を果たす他のハードウェアを含んでもよい。
【００６２】
感圧センサ２０１１は、例えば寝具に接して配置される。感圧センサ２０１１は、人（就寝者）の微細な振動を検知する。感圧センサ２０１１は、検知結果を体動計算部２０１２、呼吸計算部２０１３、心拍計算部２０１４に出力する。
【００６３】
感圧センサ２０１１により検知された就寝者の微細な振動は、互いに異なる周期の、就寝者の体動（例えば寝返り）に起因する振動と、就寝者の呼吸に起因する振動と、就寝者の心拍に起因する振動とを含む。
【００６４】
体動計算部２０１２は、感圧センサ２０１１により検知された就寝者の微細な振動から、就寝者の体動（例えば寝返り）に対応する周期の振動を抽出し、就寝者の体動状態（例えば１分間当たりの寝返り回数）を計算する。
【００６５】
呼吸計算部２０１３は、感圧センサ２０１１により検知された就寝者の微細な振動から、就寝者の呼吸に対応する周期の振動を抽出し、就寝者の１分間当たりの呼吸数を計算する。
【００６６】
心拍計算部２０１４は、感圧センサ２０１１により検知された就寝者の微細な振動から、就寝者の心拍に対応する周期の振動を抽出し、就寝者の１分間当たりの心拍数を計算する。
【００６７】
睡眠状態判定部２０１５は、体動計算部２０１２、呼吸計算部２０１３、心拍計算部２０１４の計算結果に基づき、就寝者の睡眠状態を判定する。睡眠状態判定部２０１５は、就寝者の睡眠状態として、本実施形態では例えば、不在状態、覚醒状態、レム睡眠（ＲＥＭ）状態、ノンレム睡眠段階１（ＮＲＥＭ１）状態、ノンレム睡眠段階２（ＮＲＥＭ２）状態、ノンレム睡眠段階３（ＮＲＥＭ３）状態、及びノンレム睡眠段階４（ＮＲＥＭ４）状態を判定する。睡眠状態判定部２０１５は、通信制御部２０１６を経由して、就寝者の睡眠状態を住宅コントローラ１１０３に通知する。
【００６８】
機器２０２０は、機器１１０１（図１）に含まれる。機器２０２０は、本実施形態では例えば、テレビである。機器２０２０は、データ処理部２０２１、映像制御部２０２２、映像表示部２０２３、音声制御部２０２４、音声出力部２０２５、ユーザインタフェース（ＵＩ）制御部２０２６、通信制御部２０２７を備える。データ処理部２０２１、映像制御部２０２２、音声制御部２０２４は、例えばＣＰＵとメモリとを含む。データ処理部２０２１、映像制御部２０２２、音声制御部２０２４は、ＣＰＵに限られず、同一機能を果たす他のハードウェアを含んでもよい。
【００６９】
データ処理部２０２１は、例えばアンテナを介して取得されたテレビ放送信号を処理して、映像信号及び音声信号を抽出する。データ処理部２０２１は、抽出された映像信号を映像制御部２０２２に出力し、抽出された音声信号を音声制御部２０２４に出力する。また、データ処理部２０２１は、通信制御部２０２７を経由して、住宅コントローラ１１０３との通信を行う。映像制御部２０２２は、データ処理部２０２１から入力された映像信号を用いて、映像表示部２０２３に映像を表示させる。映像表示部２０２３は、例えば液晶表示パネルを含む。
【００７０】
ＵＩ制御部２０２６は、ユーザにより操作される音量ボタンを含む。ＵＩ制御部２０２６は、ユーザによる音量ボタンの操作を受け付けて、操作量をデータ制御部２０２１に出力する。データ制御部２０２１は、ＵＩ制御部２０２６から入力された音量ボタンの操作量を音声制御部２０２４に出力する。音声制御部２０２４は、データ処理部２０２１から入力された音声信号と、音量ボタンの操作量とを用いて、音声出力部２０２５から音声を出力させる。音声出力部２０２５は、例えばスピーカを含む。
【００７１】
なお、機器２０２０は、テレビに限られない。機器２０２０は、例えば、映像（光）及び音を発生するスマートフォン、パーソナルコンピュータ（ＰＣ）、タブレットなどでもよい。あるいは、機器２０２０は、音のみを発生するステレオ等でもよい。例えばステレオ等の映像出力を伴わない機器の場合には、機器２０２０は、映像表示部２０２３及び映像制御部２０２２を備えなくてもよい。さらに、機器２０２０は、光のみを発生する照明機器などでもよい。例えば照明機器の場合には、機器２０２０は、データ処理部２０２１、映像制御部２０２２、映像表示部２０２３、音声制御部２０２４、音声出力部２０２５に代えて、電灯と、電灯の光量を制御する照明制御部とを備えればよい。
【００７２】
図４には、テレビである機器２０２０が１つだけ示されているが、後述されるように、本実施の形態１の機器制御システムは、テレビ、照明機器などの複数の機器２０２０を備えている。
【００７３】
住宅コントローラ１１０３は、同一ネットワークに接続された機器２０２０の動作を制御する。住宅コントローラ１１０３は、機器制御部２００１、記憶部２００２、通信制御部２００８を備える。機器制御部２００１は、動作制限部２００３、機器管理部２００４、部屋管理部２００６を備える。機器制御部２００１は、例えばＣＰＵとメモリとを含む。機器制御部２００１は、ＣＰＵに限られず、同一機能を果たす他のハードウェアを含んでもよい。記憶部２００２は、機器データベース（ＤＢ）２００５、部屋ＤＢ２００７を備える。記憶部２００２は、例えばハードディスクドライブ、フラッシュメモリなどの不揮発性メモリで構成される。
【００７４】
機器管理部２００４は、機器ＤＢ２００５に保存される機器管理情報５００（後述の図５）を管理する。部屋管理部２００６は、部屋ＤＢ２００７に保存される部屋間の防音性能を表す防音性能情報６００（後述の図６）を管理する。
【００７５】
図５は、機器ＤＢ２００５に保存される機器管理情報５００の一例を示す図である。住宅コントローラ１１０３の機器管理部２００４は、機器管理情報５００を用いて、機器２０２０、生体センサ２０１０を含む機器を管理する。機器管理部２００４は、機器２０２０、生体センサ２０１０などから送信される情報を用いて、機器管理情報５００を作成する。機器管理部２００４は、作成した機器管理情報５００を機器ＤＢ２００５に保存する。機器管理情報５００は、機器ＩＤ５０１、ＩＰアドレス５０２、機器クラス５０３、識別子５０４、プロパティ５１１〜５１６を含む。
【００７６】
機器ＩＤ５０１は、機器２０２０及び生体センサ２０１０を含む機器を特定する固有の識別子である。ＩＰアドレス５０２は、住宅コントローラ１１０３がネットワーク上の機器にアクセスするときの機器のアドレスを表す。機器クラス５０３は、機器の名称を表す。図５には、機器クラス５０３として、「テレビ」、「生体センサ」、「照明機器」が２つずつ示されている。識別子５０４は、機器に付与された固有の符号である。
【００７７】
プロパティ５１１は、機器の設置場所を表す。プロパティ５１２は、機器の動作状態（オン又はオフ）を表す。プロパティ５１３は、現在の睡眠状態又は照度を表す。プロパティ５１４は、設定されている照度の上限を表す。プロパティ５１５は、現在の音量を表す。プロパティ５１６は、設定されている音量の上限を表す。
【００７８】
住宅コントローラ１１０３は、テレビ、照明機器などの機器２０２０と、生体センサ２０１０とを含む機器を、抽象化オブジェクトとして、管理する。各機器の抽象化オブジェクトでは、制御情報等がプロパティとして管理される。このように、機器管理情報５００は、プロパティ単位で管理される。このため、それぞれのプロパティ５１１〜５１６は、機器クラス５０３ごとに意味が異なる。
【００７９】
例えばプロパティ５１３は、機器クラス５０３が「センサ」では、センサの検出対象者（就寝者）の睡眠状態（つまり生体センサ２０１０の睡眠状態判定部２０１５の判定結果）を表す一方、機器クラス５０３が「テレビ」及び「照明機器」では、照度を表す。例えばプロパティ５１４は、機器クラス５０３が「テレビ」及び「照明機器」では、照度を表す一方、機器クラス５０３が「センサ」では、情報を含まない。例えばプロパティ５１５，５１６は、機器クラス５０３が「テレビ」では、音量を表す一方、機器クラス５０３が「センサ」及び「照明機器」では、情報を含まない。
【００８０】
図５の機器管理情報５００により表される状態が説明される。プロパティ５１１（設置場所）が「１Ｆリビング」のテレビ及び照明機器が「ＯＮ」になっている。したがって、１階のリビングルームでテレビが視聴されていると考えられる。
【００８１】
一方、機器ＩＤ５０１が「Ｓｅｎｓｏｒ１」、「Ｓｅｎｓｏｒ２」のプロパティ５１３（睡眠状態）が「不在」になっているため、就寝者がいないことが分かる。そこで、プロパティ５１４（照度上限）及びプロパティ５１６（音量上限）は、全て、「ＭＡＸ」に設定されている。すなわち、図５の機器管理情報５００では、就寝者がいないため、照度も音量も制限されていない。
【００８２】
図６は、部屋ＤＢ２００７に保存される防音性能情報６００の一例を示す図である。防音性能情報６００は、各部屋間の防音性能を表す。防音性能情報６００では、行方向及び列方向に部屋ＩＤ６０１が配列され、マトリクス状に各部屋間の防音性能値６０２が並べられている。
【００８３】
図６の防音性能情報６００では、同一部屋間の防音性能値６０２は、「０ｄＢ」に設定されている。これは、同一部屋間では防音性能が無いことを意味している。図６において、「２Ｆ主寝室」と「１Ｆリビング」との間の防音性能値６０２は、「−１０ｄＢ」に設定されている。この「−１０ｄＢ」は、「１Ｆリビング」の機器２０２０の音量が、１０ｄＢ低下して「２Ｆ主寝室」に到達することを表している。
【００８４】
防音性能情報６００の防音性能値６０２の初期値は、ユーザにより手動で入力されてもよい。ユーザによる防音性能値６０２の入力は、質問形式で行われてもよい。部屋管理部２００６は、ユーザによる入力の結果を用いて、図６に示される表形式の防音性能情報６００を作成する。
【００８５】
図７は、記憶部２００２に保存される制限情報７００の一例を示す図である。制限情報７００は、睡眠状態７０１と、音量の制限値７０２と、照度の制限値７０３とを含む。音量の制限値７０２と、照度の制限値７０３とは、睡眠状態７０１に対応して、予め設定されている。
【００８６】
図７に示されるように、制限情報７００は、睡眠状態７０１として、睡眠状態ＮＲＥＭ１、睡眠状態ＮＲＥＭ２、睡眠状態ＮＲＥＭ３、及び睡眠状態ＮＲＥＭ４を含む。人の眠りは、睡眠状態ＮＲＥＭ１が最も浅く、睡眠状態ＮＲＥＭ２、睡眠状態ＮＲＥＭ３になるにしたがって深くなり、睡眠状態ＮＲＥＭ４が最も深い。
【００８７】
図７では、睡眠状態ＮＲＥＭ１に対応して、音量の制限値が２０ｄＢ、照度の制限値が３０ｌｘに設定され、睡眠状態ＮＲＥＭ２に対応して、音量の制限値が２５ｄＢ、照度の制限値が３０ｌｘに設定され、睡眠状態ＮＲＥＭ３に対応して、音量の制限値が３０ｄＢ、照度の制限値が４０ｌｘに設定され、睡眠状態ＮＲＥＭ４に対応して、音量の制限値が４０ｄＢ、照度の制限値が５０ｌｘに設定されている。このように、眠りが深くなるにつれて、音量及び照度の制限値が高くなっている。
【００８８】
また、睡眠状態ＲＥＭに対応して、音量の制限値が２０ｄＢ、照度の制限値が３０ｌｘに設定されている。なお、図７に示される音量及び照度の制限値は一例である。本実施の形態１では、音量及び照度の制限値として、図７に示される数値に限られず、他の数値が用いられてもよい。
【００８９】
図４に戻って、機器制御部２００１の動作制限部２００３は、機器管理情報５００、防音性能情報６００、制限情報７００を用いて、通信制御部２００８を介して、機器２０２０の音量及び照度（光量）の上限値を第１値に設定する。動作制限部２００３の機能については、後に詳述される。
【００９０】
なお、図４の生体センサ２０１０は、例えば寝具に接して配置される感圧センサ２０１１を備えているが、本実施の形態における生体センサ２０１０の構成は、図４に示されるものに限られない。
【００９１】
図８は、図４と異なる構成の生体センサ２０１０を備える機器制御システムの構成を概略的に示すブロック図である。図８の生体センサ２０１０は、感圧センサに代えて、電波センサ２１１１を備える。
【００９２】
電波センサ２１１１は、例えば２４ＧＨｚ帯の電磁波を送信し、人（就寝者）で反射された電磁波を受信して、微小な振動（就寝者の体動）を検知する。電波センサ２１１１は、例えば寝具に設置される。なお、電波センサ２１１１は、天井等の寝具から離れた場所に設置されてもよい。
【００９３】
さらに、感圧センサ又は電波センサに代えて、他のセンサを用いてもよい。例えば加速度センサを用いて、就寝者の動きを検出してもよい。あるいは、例えば液体が封入されており、液体の揺らぎに基づいて就寝者の振動を検出するセンサを用いてもよい。要は、振動センサとして就寝者の体の動きを検出できるものであればよい。なお、振動センサは、人（就寝者）に装着されてもよい。
【００９４】
なお、図４、図８の機器制御システムでは、生体センサ２０１０が体動計算部２０１２、呼吸計算部２０１３、心拍計算部２０１４、睡眠状態判定部２０１５を備え、生体センサ２０１０において睡眠状態を判定した後、判定結果が生体センサ２０１０から住宅コントローラ１１０３に送信されているが、本実施の形態は、この構成に限られない。
【００９５】
例えば、住宅コントローラ１１０３が、体動計算部２０１２、呼吸計算部２０１３、心拍計算部２０１４、及び睡眠状態判定部２０１５を備えてもよい。この構成では、生体センサ２０１０は、通信制御部２０１６を経由して、住宅コントローラ１１０３に、感圧センサ２０１１又は電波センサ２１１１の検知データを送信する。住宅コントローラ１１０３は、生体センサ２０１０から送信された検知データを用いて、睡眠状態を判定する。
【００９６】
次に、図９を参照して、住宅コントローラ１１０３の機器制御部２００１の動作制限部２００３の機能が説明される。図５の機器管理情報５００では就寝者がいないため、照度も音量も制限されていない。これに対して、本第１の実施の形態では、就寝者が存在すると、動作制限部２００３は、機器２０２０の照度及び音量の上限値を制限する。
【００９７】
図９は、図５の機器管理情報５００と異なり、就寝者及び非就寝者の両方が存在する場合の機器管理情報５００を示す図である。図９の機器管理情報５００のプロパティ５１３〜５１６では、図５の機器管理情報５００から変更された値に下線が付されている（但しオフにされたものを除く）。
【００９８】
図９の機器管理情報５００では、プロパティ５１１（設置場所）が「２Ｆ主寝室」の各機器において、機器ＩＤ５０１が「Ｓｅｎｓｏｒ１」のプロパティ５１３（睡眠状態）は、「ＮＲＥＭ３」になっており、機器ＩＤ５０１が「Ｓｅｎｓｏｒ２」のプロパティ５１３（睡眠状態）は、「覚醒」になっている。したがって、「２Ｆ主寝室」に居る２人のうち、一方は就寝者であり、他方は非就寝者であることが表されている。
【００９９】
また、プロパティ５１１（設置場所）が「２Ｆ主寝室」のテレビ及び照明機器のプロパティ５１２（動作状態）が「ＯＮ」になっている。したがって、「２Ｆ主寝室」に居る２人のうち非就寝者がテレビを視聴していることが表されている。
【０１００】
そこで、動作制限部２００３は、記憶部２００２に保存されている制限情報７００（図７）を読み出し、睡眠状態７０１が「ＮＲＥＭ３」に対応する、音量の制限値７０２である「３０ｄＢ」、照度の制限値７０３である「４０ｌｘ」を抽出する。
【０１０１】
また、動作制限部２００３は、部屋ＤＢ２００７に保存されている防音性能情報６００（図６）を読み出し、部屋ＩＤ６０１が「２Ｆ主寝室」に対する、「２Ｆ主寝室」の防音性能値６０２である「０ｄＢ」、「１Ｆリビング」の防音性能値６０２である「１０ｄＢ」を抽出する。
【０１０２】
動作制限部２００３は、制限情報７００における照度の制限値７０３（図７）を機器２０２０の照度上限（図９のプロパティ５１４）に設定する。すなわち、図９に示されるように、睡眠状態７０１が「ＮＲＥＭ３」に対応する照度の制限値７０３（第１値の一例）である「４０ｌｘ」が、「２Ｆ主寝室」の「テレビ」及び「照明機器」の照度上限（プロパティ５１４）に設定される。
【０１０３】
動作制限部２００３は、制限情報７００における音量の制限値７０２（図７）を、防音性能情報６００の防音性能値６０２（図６）により補正し、得られた補正値（第１値の一例）を機器２０２０の音量上限（図９のプロパティ５１６）に設定する。
【０１０４】
例えば睡眠状態７０１が「ＮＲＥＭ３」に対応する音量の制限値７０２である「３０ｄＢ」は、「２Ｆ主寝室」の防音性能値６０２である「０ｄＢ」により補正されて、「２Ｆ主寝室」の「テレビ」の音量上限（プロパティ５１６）は、図９に示されるように、「３０ｄＢ」に設定される。
【０１０５】
また、例えば睡眠状態７０１が「ＮＲＥＭ３」に対応する音量の制限値７０２である「３０ｄＢ」は、「１Ｆリビング」の防音性能値６０２である「−１０ｄＢ」により補正されて、「１Ｆリビング」の「テレビ」の音量上限（プロパティ５１６）は、図９に示されるように、「４０ｄＢ」に設定される。
【０１０６】
（動作）
図１０は、本第１の実施の形態における、機器制御システムの初期時の動作を概略的に示すシーケンス図である。住宅コントローラ１１０３は、初回起動時に、部屋ＤＢ２００７における防音性能情報６００の初期化と、機器ＤＢ２００５における機器管理情報５００の初期化とを行う。
【０１０７】
ステップＳ５０１において、住宅コントローラ１１０３の部屋管理部２００６は、ユーザによる入力に基づき、防音性能情報６００の防音性能値６０２の初期値を設定する。なお、防音性能情報６００の防音性能値６０２の初期値として、住宅メーカにより設定されたデフォルトの値が用いられてもよい。
【０１０８】
続いて、ステップＳ５０２において、住宅コントローラ１１０３の機器管理部２００４は、ネットワーク上に機器の探索要求を同報通知する。機器の探索要求を受けて、生体センサ２０１０は、ステップＳ５０３において、固有情報を応答し、機器２０２０は、ステップＳ５０４において、固有情報を応答する。
【０１０９】
固有情報は、機器管理情報５００（図５）のうち機器ＩＤ５０１、ＩＰアドレス５０２、機器クラス５０３、識別子５０４と、プロパティの個数とを含む。生体センサ２０１０は、図５に示されるように、３個のプロパティを有するので、プロパティの個数として、「３」を固有情報に含める。機器２０２０がテレビの場合には、図５に示されるように、６個のプロパティを有するので、プロパティの個数として、「６」を固有情報に含める。機器２０２０が照明機器の場合には、図５に示されるように、４個のプロパティを有するので、プロパティの個数として、「４」を固有情報に含める。
【０１１０】
生体センサ２０１０及び機器２０２０からの固有情報の応答を受けて、住宅コントローラ１１０３は、ステップＳ５０５において、機器管理情報５００のうち、ネットワークに接続された生体センサ２０１０及び機器２０２０に関する固有情報（つまり機器ＩＤ５０１、ＩＰアドレス５０２、機器クラス５０３、識別子５０４）を初期化する。
【０１１１】
次に、ステップＳ５０６において、住宅コントローラ１１０３は、生体センサ２０１０に対して、３個のプロパティの送信を要求する。ステップＳ５０７において、この要求に対する応答として、生体センサ２０１０は、住宅コントローラ１１０３にプロパティを送信する。ステップＳ５０８において、住宅コントローラ１１０３は、機器管理情報５００のうち生体センサ２０１０に関するプロパティ５１１〜５１３を初期化する。
【０１１２】
次に、ステップＳ５０９において、住宅コントローラ１１０３は、機器２０２０に対して、６個（又は４個）のプロパティの送信を要求する。ステップＳ５１０において、この要求に対する応答として、機器２０２０は、住宅コントローラ１１０３にプロパティを送信する。ステップＳ５１１において、住宅コントローラ１１０３は、機器管理情報５００のうち機器２０２０（本実施形態では、テレビ及び照明機器）に関するプロパティ５１１〜５１６を初期化する。
【０１１３】
なお、生体センサ２０１０及び機器２０２０は、自身の設置場所が不明であるので、ステップＳ５０７，Ｓ５１０において、それぞれ生体センサ２０１０及び機器２０２０から送信されるプロパティ５１１は、空欄になっている。
【０１１４】
次に、ステップＳ５１２において、住宅コントローラ１１０３は、ユーザによる入力を受けて、機器管理情報５００の生体センサ２０１０及び機器２０２０の設置場所（プロパティ５１１）を初期化する。以上の処理によって、機器ＤＢ２００５における機器管理情報５００の初期化が完了する。
【０１１５】
図１１は、本第１の実施の形態における、機器制御システムの通常時の動作を概略的に示すシーケンス図である。ステップＳ５２１において、生体センサ２０１０は、住宅コントローラ１１０３に睡眠状態を通知する。生体センサ２０１０は、一定の時間間隔で、住宅コントローラ１１０３に睡眠状態を通知する。なお、生体センサ２０１０は、睡眠状態が変化した時に、住宅コントローラ１１０３に睡眠状態を通知してもよい。
【０１１６】
続いて、ステップＳ５２２において、住宅コントローラ１１０３の機器管理部２００４は、通知された睡眠状態が変化していれば、機器ＤＢ２００５に保存されている機器管理情報５００の睡眠状態（プロパティ５１３）を更新する。図１１では、睡眠状態は、図９に示されるように「ＮＲＥＭ３」に変化し、図５の機器管理情報５００は、図９の機器管理情報５００に更新されたものとする。
【０１１７】
続いて、ステップＳ５２３において、機器管理部２００４は、機器管理情報５００の照度上限（プロパティ５１４）と、音量上限（プロパティ５１６）とを更新する。ステップＳ５２３については、図１４を参照して後に詳述される。
【０１１８】
続いて、ステップＳ５２４において、機器管理部２００４は、通信制御部２００８を介して、上限値が更新された機器２０２０（本実施の形態では、例えばテレビ及び照明機器）に対して、上限値の設定を要求する。この要求を受けて、ステップＳ５２５において、機器２０２０は、上限値の設定を行う。ステップＳ５２５については、図１２を参照して後に詳述される。続くステップＳ５２６において、機器２０２０は、上限値を設定した旨を住宅コントローラ１１０３に通知する。
【０１１９】
なお、一定の時間間隔が経過しても、生体センサ２０１０から住宅コントローラ１１０３に睡眠状態の通知がない場合には、住宅コントローラ１１０３は、生体センサ２０１０に対して、睡眠状態を要求してもよい（ステップＳ５３１）。この要求の応答として、ステップＳ５３２において、機器２０２０は、睡眠状態（プロパティ５１３）を住宅コントローラ１１０３に送信してもよい。
【０１２０】
ステップＳ５２５において、機器２０２０の上限値が設定された後で、例えば、ユーザにより音量ボタンの操作が行われると（ステップＳ５４１）、機器２０２０の音声制御部２０２４は、設定された上限値に応じて音量制御を行う（ステップＳ５４２）。ステップＳ５４２については、図１３を参照して後に詳述される。
【０１２１】
なお、本実施の形態の生体センサ２０１０は、住宅コントローラ１１０３からの睡眠状態の要求に対する応答機能を有しているが、これに限られない。例えば睡眠状態を定期的に送信するだけで、応答機能を有していない生体センサであってもよい。
【０１２２】
なお、図１１のシーケンス図において、波線で切断された上側と下側とは、互いに非同期で、それぞれ処理が実行されることを表している。この点は、以降のシーケンス図でも同様である。
【０１２３】
図１２は、図１１のステップＳ５２５の機器２０２０における上限値設定処理の詳細を示すフローチャートである。
【０１２４】
ステップＳ６０１において、機器２０２０の通信制御部２０２７は、住宅コントローラ１１０３から上限値の設定の要求（図１１のステップＳ５２４）を受信する。機器２０２０の音声制御部２０２４は、この要求に従って、上限値の設定を行う（ステップＳ６０２）。音声制御部２０２４は、設定された上限値を保持する。音声制御部２０２４は、設定された上限値を内部のメモリに保存してもよい。
【０１２５】
続いて、ステップＳ６０３において、音声制御部２０２４は、現在の音量設定が上限値を超えているか否かを判定する。現在の音量設定が上限値を超えている場合（ステップＳ６０３でＹＥＳ）、音声制御部２０２４は、音量設定を３〜５秒程度かけて徐々に低減させる（ステップＳ６０４）。音声制御部２０２４は、例えば２ｄＢ／秒（所定の値の一例）以下の変化率で音量設定を緩やかに低減させてもよい。なお、図１２では音量制御の例が示されているが、照度が制御される場合も、同様に徐々に低減される。
【０１２６】
続いて、ステップＳ６０５において、通信制御部２０２７は、上限値の設定を行ったことを表す応答を住宅コントローラ１１０３に送信して（図１１のステップＳ５２６）、図１２の処理は終了する。
【０１２７】
図１３は、図１１のステップＳＳ５４２の機器２０２０における音量制御処理の詳細を示すフローチャートである。
【０１２８】
機器２０２０のＵＩ制御部２０２６は、ユーザからの音量ボタンの操作を受け付けて、操作量をデータ制御部２０２１に出力する（ステップＳ７０１）。音声制御部２０２４は、音量変更が可能か否かを判断する（ステップＳ７０２）。
【０１２９】
例えば、現在の音量設定が上限であって、ユーザの音量ボタンの操作が音量増大であれば、音声制御部２０２４は、音量変更が不可能と判断する。また、現在の音量設定が無音であって、ユーザの音量ボタンの操作が音量低減であれば、音声制御部２０２４は、音量変更が不可能と判断する。音量変更が不可能であれば（ステップＳ７０２でＮＯ）、ユーザの音量ボタンの操作に従った音量制御が不可能であるので、音声制御部２０２４は、図１３の処理を終了する。
【０１３０】
音量変更が可能である場合（ステップＳ７０２でＹＥＳ）、音声制御部２０２４は、ＵＩ制御部２０２６を介して、ユーザの音量ボタンの操作が継続されているか否かを判断する（ステップＳ７０３）。ユーザの音量ボタンの操作が継続されていなければ（ステップＳ７０３でＮＯ）、音声制御部２０２４は、ユーザが音量ボタンの操作を中止したと判断して、図１３の処理を終了する。
【０１３１】
ユーザの音量ボタンの操作が継続されていれば（ステップＳ７０３でＹＥＳ）、音声制御部２０２４は、音量の上限値が最大（ＭＡＸ）であるか否かを判断する（ステップＳ７０４）。音量の上限値がＭＡＸであるということは、上限値の設定（図１１のステップＳ５２５）が行われていないということを意味する。音量の上限値がＭＡＸである場合（ステップＳ７０４でＹＥＳ）、音声制御部２０２４は、ユーザの音量ボタンの操作に従って音量変更を行い（ステップＳ７０５）、処理はステップＳ７０２に戻る。
【０１３２】
一方、音量の上限値がＭＡＸではない場合（ステップＳ７０４でＮＯ）、つまり上限値の設定が行われている場合は、音声制御部２０２４は、１段階分のみ音量の変更を行い（ステップＳ７０６）、ユーザの音量ボタンの操作が終了するのを待機して（ステップＳ７０７）、図１３の処理を終了する。ステップＳ７０６，Ｓ７０７の処理によって、ユーザが音量ボタンを操作し続けていても、１段階分のみしか音量の変更がされない。つまり、ユーザは、１段階分ずつしか音量変更ができないことになる。これによって、音量の変更が緩やかに行われる。その結果、音量の変更により就寝者の睡眠が阻害されないようにすることができる。
【０１３３】
図１４は、図１１のステップＳＳ５２３の上限値の更新処理の詳細を示すフローチャートである。
【０１３４】
まず、ステップＳ１４０１において、機器管理部２００４は、更新された機器管理情報５００を参照し、生体センサ２０１０の設置場所（プロパティ５１１）に対して影響のある機器２０２０を検索する。影響のある機器とは、音を発生する機器（例えばテレビ）であれば全ての機器であり、音を発生せずに光のみを発生する機器（例えば照明機器）であれば、設置場所が同一の機器である。図９の機器管理情報５００では、生体センサ２０１０の設置場所（つまり睡眠状態が「ＮＲＥＭ３」の就寝者が居る２Ｆ主寝室）に対して影響のある機器は、「２Ｆ主寝室」の「テレビ」、「照明機器」、及び「１Ｆリビング」の「テレビ」である。
【０１３５】
影響のある機器（本実施の形態では、上記テレビ及び照明機器）を発見した場合、機器管理部２００４は、機器管理情報５００内の睡眠状態（プロパティ５１３）を参照し（ステップＳ１４０２、睡眠状態参照ステップの一例）、制限情報７００を参照し（ステップＳ１４０３）、部屋ＤＢ２００７内の防音性能情報６００を参照する（ステップＳ１４０４、防音性能参照ステップの一例）。
【０１３６】
続くステップＳ１４０５において、機器管理部２００４は、上限値を決定する（決定ステップの一例）。例えば機器管理情報５００内の睡眠状態（プロパティ５１３）が「ＮＲＥＭ３」であれば、機器管理部２００４は、制限情報７００から、音量の制限値７０２として「ＮＲＥＭ３」に対応する「３０ｄＢ」を抽出し、照度の制限値７０３として「ＮＲＥＭ３」に対応する「４０ｌｘ」を抽出する。
【０１３７】
機器管理部２００４は、「２Ｆ主寝室」の「テレビ」及び「照明機器」の照度の上限値を、照度の制限値７０３として抽出された「４０ｌｘ」に決定する。
【０１３８】
機器管理部２００４は、「２Ｆ主寝室」の「テレビ」の音量の上限値を、防音性能情報６００の防音性能値６０２が「０ｄＢ」であるので、音量の制限値７０２として抽出された「３０ｄＢ」に決定する。
【０１３９】
機器管理部２００４は、「１Ｆリビング」の「テレビ」の音量の上限値を、防音性能情報６００の防音性能値６０２が「−１０ｄＢ」であるので、音量の制限値７０２として抽出された「３０ｄＢ」に「１０ｄＢ」を加算した「４０ｄＢ」に決定する。
【０１４０】
続くステップＳ１４０６において、機器管理部２００４は、機器ＤＢ２００５内の機器管理情報５００の照度上限（プロパティ５１４）と、音量上限（プロパティ５１６）とを決定された上限値に更新して、図１４の処理を終了する。
【０１４１】
（作用・効果）
以上のように、実施の形態１によれば、住宅コントローラ１１０３は、生体センサ２０１０により判定された就寝者の睡眠状態を参照する。住宅コントローラ１１０３は、就寝者の睡眠状態に応じて、機器２０２０の音量の上限値を決定する。これによって、機器２０２０のユーザ（非就寝者の一例）は、就寝者の睡眠状態を把握せずとも、就寝者への影響を低減して就寝者の睡眠を維持しつつ、機器２０２０を利用することができる。
【０１４２】
また、一般に、就寝者は、音量の急激な増大又は低下に対して反応しやすい。これに対して、実施の形態１によれば、音量ボタンを操作する際に、ユーザは、１段階ずつしか音量を変更することができない。したがって、音量の急激な変化が抑制される。その結果、就寝者への影響をさらに低下することができる。
【０１４３】
（変形された実施形態）
（１）図１１のステップＳＳ５４２の機器２０２０における音量制御処理は、図１３に示される手順に限られない。
【０１４４】
図１５は、図１３と異なる手順の音量制御処理を示すフローチャートである。図１５の手順では、図１３のステップＳ７０７（ユーザの音量ボタン操作の終了を待機する）に代えて、ステップＳ７１７が行われる。ステップＳ７１７では、機器２０２０のＣＰＵは、スリープ処理を所定時間実行する。その後、処理はステップＳ７０２に戻る。この構成では、スリープ処理が実行されている時間の分だけ音量変更に要する時間が延ばされる。このため、図１３と同様の効果を得ることができる。
【０１４５】
（２）図１１のステップＳＳ５２５の機器２０２０における上限値設定処理は、図１２に示される手順に限られない。
【０１４６】
図１６は、図１２と異なる手順の上限値設定処理の詳細を示すフローチャートである。図１６の手順では、ステップＳ６０２（上限値の設定）に続いて、ステップＳ６１２において、映像制御部２０２２は、字幕モードに設定する。字幕モードは、音声を表す字幕付きで映像を映像表示部２０２３に表示するモードである。これによって、小さい音量の音声を補完することができ、機器２０２０（テレビ）を視聴しているユーザの利便性を向上することができる。
【０１４７】
（３）上記実施の形態１の図１２、図１３、図１５、図１６では、機器２０２０の音声出力部２０２５による音量変更を緩やかに行うことが説明されたが、音量変更に限られない。映像制御部２０２２は、映像出力部２０２３による照度変更も、同様に３秒〜５秒かけて緩やかに行うように制御してもよい。また、機器２０２０が照明機器である場合に、照明制御部は、電灯の照度変更も、同様に３秒〜５秒かけて緩やかに行うように制御してもよい。これによって、就寝者への照度変更の影響を低下させることが可能である。また、音量または照度の変化を緩やかにすることで、機器２０２０のユーザ（視聴者）の耳又は目の順応性を確保することができる。その結果、音であれば、小さい音量でも、ある程度の快適さを確保できる。また、部屋が急に暗くなることが無いため、一定の安全が確保される。
【０１４８】
（実施の形態２）
上記実施の形態１では、機器２０２０の上限値の設定動作に関して説明されたが、本実施の形態２では、サーバ１１２１（図１）を利用した最適な上限値の計算及び上限値の設定動作に関して説明される。なお、以下では、説明の簡略化のため、上記実施の形態１と同様の構成については、同様の符号が付されて詳細な説明が省略されている。
【０１４９】
（構成）
図１７は、本第２の実施の形態における、機器制御システムの構成を概略的に示すブロック図である。図１７に示されるように、住宅コントローラ１１０３の機器制御部２００１は、動作制限部２００３、機器管理部２００４、部屋管理部２００６に加えて、ログ管理部２２０１を備える。記憶部２００２は、機器ＤＢ２００５、部屋ＤＢ２００７に加えて、ログＤＢ２２０２を備える。
【０１５０】
ログ管理部２２０１は、ログ情報１８００（後述の図１８）を作成する。ログ情報１８００は、機器２０２０の操作ログと、生体センサ２０１０の睡眠状態ログとを時系列で含む。ログ管理部２２０１は、作成したログ情報１８００をログＤＢ２２０２に保存する。
【０１５１】
図１８は、ログＤＢ２２０２に保存されるログ情報１８００の一例を示す図である。図１８に示されるように、ログ情報１８００は、日時１８０１、機器ＩＤ１８０２、プロパティ番号１８０３、プロパティ値１８０４を含む。
【０１５２】
機器ＩＤ１８０２は、機器２０２０及び生体センサ２０１０を含む機器を特定する固有の識別子である。機器ＩＤ１８０２は、機器管理情報５００の機器ＩＤ５０１に対応する。プロパティ番号１８０３は、機器管理情報５００のプロパティ５１３又は５１５を表す。図１８のプロパティ番号「３」は、図５のプロパティ５１３（睡眠状態又は照度）を表し、図１８のプロパティ番号「５」は、図５のプロパティ５１５（音量）を表す。プロパティ値１８０４は、プロパティ番号１８０３の値を表す。日時１８０１は、プロパティ値１８０４になった日時を表す。このように、ログ情報１８００によって、機器２０２０の操作ログと、生体センサ２０１０の睡眠状態ログとが、時系列で管理される。
【０１５３】
図１８のログ情報１８００では、２０１５年９月２４日１時２２分００秒に、機器ＩＤ１８０２が「Ｓｅｎｓｏｒ１」の生体センサ２０１０により、睡眠状態「ＮＲＥＭ３」と判定されている。続く１時２３分３０秒に、機器ＩＤ１８０２が「ＴＶ１」のテレビの音量が「２０ｄＢ」に操作され、続く１時２９分３０秒に、同テレビの音量が「３０ｄＢ」に増大されている。音量増大の直後の１時２９分４０秒（音量増大から１０秒後）に、機器ＩＤ１８０２が「Ｓｅｎｓｏｒ１」の生体センサ２０１０により、睡眠状態「ＮＲＥＭ２」と判定されている。このように、図１８のログ情報１８００では、音量増大から１０秒後に睡眠状態が「ＮＲＥＭ３」から「ＮＲＥＭ２」に浅くなっている。
【０１５４】
図１７に戻って、住宅コントローラ１１０３の動作制限部２００３は、通信制御部２００８により、ネットワークで接続されたサーバ１１２１に直接又はクラウドサーバ１１１１（図１）を介して、ログ情報１８００を送信する。
【０１５５】
サーバ１１２１は、機械学習等のデータ処理によって、ユーザの音量操作による機器２０２０の音量変化（音量増大）と、生体センサ２０１０により判定される睡眠状態の変化との間に、相関関係があるか否かを判断する。本実施の形態２のサーバ１１２１は、ハードウェアでもよく、学習アプリケーション等のソフトウェアでもよい。
【０１５６】
サーバ１１２１は、音量変化と睡眠状態変化との間に相関関係があると判断すると、現在の防音性能情報６００の防音性能値６０２が適切ではないと判断し、より適切な防音性能値６０２を含むように防音性能情報６００を補正する。サーバ１１２１は、補正した新たな防音性能情報６００を住宅コントローラ１１０３に送信する。
【０１５７】
例えば、図１８のログ情報１８００に示されるような、音量変化の直後に睡眠状態が浅くなるような事態が所定回数発生すると、サーバ１１２１は、音量変化と睡眠状態変化との間に相関関係があると判断する。その結果、サーバ１１２１は、防音性能情報６００の防音性能値６０２を引き下げる補正を行う。図１９〜図２１を用いて、サーバ１１２１による防音性能情報の補正が説明される。
【０１５８】
図１９は、比較例として、睡眠状態が「ＮＲＥＭ３」から「ＮＲＥＭ２」に変わった場合であって、防音性能情報６００が補正されない場合の機器管理情報５００を示す図である。図２０は、補正された防音性能情報６００の一例を示す図である。図２１は、本実施の形態において、睡眠状態が「ＮＲＥＭ３」から「ＮＲＥＭ２」に変わった場合であって、防音性能情報６００が補正された場合の機器管理情報５００を示す図である。図１９の機器管理情報５００では、図９の機器管理情報５００から変更された値に下線が付されている。図２１の機器管理情報５００では、図１９の機器管理情報５００と異なる値に下線が付されている。
【０１５９】
上述のように、図９に、睡眠状態が「ＮＲＥＭ３」のときの機器管理情報５００が示されている。一方、睡眠状態が「ＮＲＥＭ３」から「ＮＲＥＭ２」に変わると、図７に示されるように、音量の制限値７０２は、「３０ｄＢ」から「２５ｄＢ」に変更され、照度の制限値７０３は、「４０ｌｘ」から「３０ｌｘ」に変更される。
【０１６０】
したがって、図１９に示されるように、プロパティ５１４（照度上限）は、「４０ｌｘ」から「３０ｌｘ」に変更され、その結果、プロパティ５１３（照度）も、「４０ｌｘ」から「３０ｌｘ」に変更される。また、「２Ｆ主寝室」のプロパティ５１６（音量上限）は、「３０ｄＢ」から「２５ｄＢ」に変更され、その結果、プロパティ５１５（音量）も、「３０ｄＢ」から「２５ｄＢ」に変更される。さらに、「１Ｆリビング」のプロパティ５１６（音量上限）は、「４０ｄＢ」から「３５ｄＢ」に変更される。
【０１６１】
サーバ１１２１は、音量変化と睡眠状態変化との間に相関関係があると判断すると、「２Ｆ主寝室」から「２Ｆ主寝室」への防音性能値６０２を、図６に示される「０ｄＢ」から「＋１ｄＢ」引き下げて、図２０に示されるように「＋１ｄＢ」に補正する。これによって、「２Ｆ主寝室」のプロパティ５１６（音量上限）は、図１９に示される「２５ｄＢ」から、図２１に示されるように、「２４ｄＢ」に変更される。その結果、プロパティ５１５（音量）も、図１９に示される「２５ｄＢ」から、図２１に示されるように、「２４ｄＢ」に変更される。
【０１６２】
サーバ１１２１は、音量変化と睡眠状態変化との間に相関関係があると判断する度に、防音性能値６０２を「＋１ｄＢ」ずつ引き下げてもよい。
【０１６３】
（動作）
図２２は、本第２の実施の形態における、機器制御システムの通常時の動作を概略的に示すシーケンス図である。図２２のステップＳ５２１，Ｓ５２２は、図１１のステップＳ５２２，Ｓ５２２と同じである。ステップＳ５２２に続くステップＳ５５１において、ログ管理部２２０１は、ログＤＢ２２０２内のログ情報１８００に、ステップＳ５２１で通知された睡眠状態を日時とともに追加して、ログ情報１８００を更新する。続くステップＳ５２３〜Ｓ５２６は、図１１のステップＳ５２３〜Ｓ５２６と同じである。
【０１６４】
図２２のステップＳ５３１〜Ｓ５３３は、図１１のステップＳ５３１〜Ｓ５３３と同じである。ステップＳ５３３に続くステップＳ５５３において、ログ管理部２２０１は、ログＤＢ２２０２内のログ情報１８００に、ステップＳ５３３で応答された睡眠状態を日時とともに追加して、ログ情報１８００を更新する。
【０１６５】
図２２のステップＳ５４１，Ｓ５４２は、図１１のステップＳ５４１，Ｓ５４２と同じである。ステップＳ５４２に続くステップＳ５５５において、機器２０２０は、ステップＳ５４２の音量制御により変更された音量を住宅コントローラ１１０３に通知する。続いて、ステップＳ５５６において、ログ管理部２２０１は、ログＤＢ２２０２内のログ情報１８００に、ステップＳ５５５で通知された音量を日時とともに追加して、ログ情報１８００を更新する。
【０１６６】
図２２のステップＳ５６１において、住宅コントローラ１１０３は、ログＤＢ２２０２に保存されているログ情報１８００を、例えば一定間隔でサーバ１１２１にアップロードする。ステップＳ５６２において、サーバ１１２１は、例えば機械学習によって音量の変化と睡眠状態の変化との間に相関関係があるか否かを判断し、その判断結果に基づき、防音性能情報６００を補正する。ステップＳ５６３において、住宅コントローラ１１０３は、補正された防音性能情報６００を受信すると、部屋ＤＢ２００７の防音性能情報６００を更新する。以降のステップＳ５２３では、補正された防音性能情報６００を用いて、機器２０２０の上限値が更新される。
【０１６７】
（作用・効果）
以上のように、例えば同一部屋に設置された機器２０２０の音量が２０ｄＢから３０ｄＢに変更された際に、就寝者の睡眠状態が、ノンレム睡眠段階３（ＮＲＥＭ３）からノンレム睡眠段階２（ＮＲＥＭ２）に変化することがある。この場合に、実施の形態２によれば、機械学習により音量の変化と睡眠状態の変化との間に相関関係ありと判断されると、例えば防音性能値６０２が０ｄＢから＋１ｄＢに補正される。これによって、音量の上限値が２５ｄＢから２４ｄＢに低下される。その結果、睡眠者への音の影響をより低下させることが可能となる。
【０１６８】
（変形された実施形態）
（１）上記実施の形態２では、音量の変化と睡眠状態の変化との間に相関関係ありと判断されると、防音性能値６０２を「＋１ｄＢ」引き下げているが、引き下げ幅は、これに限られない。防音性能値６０２を「＋２ｄＢ」引き下げてもよく、「＋５ｄＢ」引き下げてもよく、防音性能値６０２の引き下げ幅は変更してもよい。
【０１６９】
（２）上記実施の形態２では、音量の変化と睡眠状態の変化との間に相関関係ありと判断されると、防音性能値６０２が引き下げられているが、これに限られない。サーバ１１２１は、音量の変化と睡眠状態の変化との間に相関関係ありと判断すると、図２１の機器管理情報５００において、直接、プロパティ５１６の値を引き下げてもよい。この場合でも、上記実施の形態２と同様の効果を得ることができる。
【０１７０】
（実施の形態３）
上記実施の形態２では、サーバ１１２１を利用した最適な上限値の計算及び上限値の設定動作に関して説明された。本実施の形態３では、住宅コントローラの代替としてサービスプロバイダを利用する機器制御システムに関して説明される。なお、以下では、説明の簡略化のため、上記実施の形態１と同様の構成については、同様の符号が付されて詳細な説明が省略されている。
【０１７１】
（構成）
図２３は、本第３の実施の形態における、機器制御システムの構成を概略的に示す図である。図２３において、サーバ１１２１は、上記実施の形態２の住宅コントローラ１１０３（図１７）の代替としての機能を有する。サーバ１１２１は、図１７に示される機器制御部２００１に相当する機能を有する機器制御部２００１Ｂと、図１７に示される記憶部２００２に相当する機能を有する記憶部２００２Ｂとを有する。サーバ１１２１は、クラウドサーバ１１１１を介して、生体センサ２０１０および機器２０２０とネットワークで接続される。
【０１７２】
（動作）
図２４は、本第３の実施の形態における、機器制御システムの初期時の動作を概略的に示すシーケンス図である。
【０１７３】
ステップＳ５７１において、サーバ１１２１の機器制御部２００１Ｂは、防音性能情報６００（図６）の防音性能値６０２の初期値を設定する。機器制御部２００１Ｂは、初期値が設定された防音性能情報６００を記憶部２００２Ｂ内の部屋ＤＢに保存する。防音性能情報６００の防音性能値６０２の初期値として、住宅メーカにより設定されたデフォルトの値が用いられる。なお、防音性能情報６００の防音性能値６０２の初期値は、例えば機器２０２０を用いてユーザ１０１０により設定されるようにしてもよい。
【０１７４】
ステップＳ５７２において、生体センサ２０１０は、機器管理情報５００（図５）の各項目５０１〜５０４，５１１〜５１３をサーバ１１２１へ送信して、機器の登録を要求する（図２３の矢印１１３１及び矢印１１３２）。
【０１７５】
ステップＳ５７３において、サーバ１１２１の機器制御部２００１Ｂは、送信された生体センサ２０１０に関する機器管理情報５００を、記憶部２００２Ｂ内の機器ＤＢへ登録する。これによって、生体センサ２０１０に関する機器管理情報５００が初期化される。なお、生体センサ２０１０は、その設置場所をユーザ１０１０が設定可能にする機能を有してもよい。生体センサ２０１０は、機器管理情報５００のプロパティ５１１（設置場所）として、ユーザ１０１０によって設定された情報をサーバ１１２１に送信してもよい。
【０１７６】
ステップＳ５７４において、サーバ１１２１は、機器の登録が完了した旨の応答を生体センサ２０１０に送信する。
【０１７７】
ステップＳ５７５において、機器２０２０は、機器管理情報５００（図５）の各項目５０１〜５０４，５１１〜５１６をサーバ１１２１へ送信して、機器の登録を要求する（図２３の矢印１１３１及び矢印１１３２）。
【０１７８】
ステップＳ５７６において、サーバ１１２１の機器制御部２００１Ｂは、送信された機器２０２０に関する機器管理情報５００を、記憶部２００２Ｂ内の機器ＤＢへ登録する。これによって、機器２０２０に関する機器管理情報５００が初期化される。なお、機器２０２０は、その設置場所をユーザ１０１０が設定可能にする機能を有してもよい。機器２０２０は、機器管理情報５００のプロパティ５１１（設置場所）として、ユーザ１０１０によって設定された情報をサーバ１１２１に送信してもよい。
【０１７９】
ステップＳ５７７において、サーバ１１２１は、機器の登録が完了した旨の応答を機器２０２０に送信する。以上の処理によって、機器管理情報５００の初期化が完了する。
【０１８０】
次に、図２３を参照して、本第３の実施の形態における、機器制御システムの通常時の動作が説明される。生体センサ２０１０は、一定の時間間隔で、睡眠状態をサーバ１１２１へ通知する（矢印１１３１及び矢印１１３２）。機器制御部２００１Ｂは、生体センサ２０１０の睡眠状態が変化したと判断すると、機器２０２０に対し、新たな睡眠状態に適した上限値の設定を行う（矢印１１３７及び矢印１１３８）。なお、この際、サーバ１１２１より機器２０２０へはプッシュ通知型通信を用いて設定を行ってもよい。あるいは、機器２０２０からサーバ１１２１へ一定の時間間隔で、設定変更の有無を問い合わせることによって、設定変更を実現してもよい。
【０１８１】
（作用・効果）
以上のように、実施の形態３によれば、住宅コントローラの代替として、サーバ１１２１が機器制御部２００１Ｂと記憶部２００２Ｂとを備えている。このため、機器制御方法を柔軟に更新することができ、より機器制御システムのサービス品質の向上が望める。
【０１８２】
（その他）
（１）上記各実施の形態では、音量設定が３〜５秒程度かけて徐々に低減されている。例えば図１２では、現在の音量設定が上限値を超えている場合には（ステップＳ６０３でＹＥＳ）、ステップＳ６０４において、音声制御部２０２４は、音量設定を３〜５秒程度かけて徐々に低減させている。しかし、これに限られない。
【０１８３】
図２５は、映像表示部２０２３に表示されたメッセージの一例を示す図である。現在の音量設定が上限値を超えている場合には、音声制御部２０２４は、図２５に示されるような、「音量制限中ですので、音量を徐々に下げてください。」とのメッセージ１６０１を作成してもよい。音声制御部２０２４は、データ処理部２０２１を介して、作成したメッセージ１６０１を映像制御部２０２２に通知してもよい。映像制御部２０２２は、通知されたメッセージ１６０１を映像表示部２０２３に表示してもよい。映像表示部２０２３に表示されたメッセージ１６０１に従って、ユーザが音量ボタンを操作して、音量を徐々に下げることにより、上記各実施の形態と同様の効果を得ることができる。
【０１８４】
（２）上記各実施の形態では、例えば図９に示されるように、住宅コントローラ１１０３は、機器管理情報５００のプロパティ５１４，５１６において照度及び音量の上限を管理している。そこで、住宅コントローラ１１０３は、例えば図１１のステップＳ５２４において上限値の設定を要求する際に、照度又は音量を送信してもよい。照度又は音量を受信した機器２０２０は、例えば図１１のステップＳ５２５において、照度又は音量を適切な制御値に変換して、映像表示部２０２３の輝度又は音声出力部２０２５の音量を制御してもよい。
【０１８５】
代替的に、住宅コントローラ１１０３は、例えば図１１のステップＳ５２４において、照度又は音量を適切な制御値に変換し、変換した制御値を送信してもよい。制御値を受信した機器２０２０は、例えば図１１のステップＳ５２５において、受信した制御値を用いて、映像表示部２０２３の輝度又は音声出力部２０２５の音量を制御してもよい。
【０１８６】
照度又は音量から変換される制御値は、例えば映像表示部２０２３又は音声出力部２０２５を制御する電流値であってもよく、単に照度又は音量のレベルを表すレベル値であってもよい。
【０１８７】
なお、上記態様において説明された技術は、例えば、以下のクラウドサービスの類型において実現されうる。しかし、上記態様において説明された技術が実現されるクラウドサービスの類型はこれらに限られるものでない。
【０１８８】
（サービスの類型１：自社データセンタ型クラウドサービス）
図２６は、サービスの類型１（自社データセンタ型クラウドサービス）における機器制御システムが提供するサービスの全体像を示す図である。本類型では、サービスプロバイダ１１２０がグループ１１００から情報を取得し、グループ１１００及びユーザに対してサービスを提供する。本類型では、サービスプロバイダ１１２０が、データセンタ運営会社の機能を有している。すなわち、サービスプロバイダ１１２０が、ビッグデータを管理するクラウドサーバ１１１１を保有している。したがって、データセンタ運営会社は存在しない。
【０１８９】
本類型では、サービスプロバイダ１１２０は、データセンタ（クラウドサーバ）１２０３を運営及び管理している。また、サービスプロバイダ１１２０は、オペレーティングシステム（ＯＳ）１２０２及びアプリケーション１２０１を管理する。サービスプロバイダ１１２０は、サービスプロバイダ１１２０が管理するＯＳ１２０２及びアプリケーション１２０１を用いてサービスを提供する（矢印１２０４及び矢印１２０５）。
【０１９０】
（サービスの類型２：ＩａａＳ利用型クラウドサービス）
図２７は、サービスの類型２（ＩａａＳ利用型クラウドサービス）における機器制御システムが提供するサービスの全体像を示す図である。ここで、ＩａａＳとは、インフラストラクチャー・アズ・ア・サービスの略であり、コンピュータシステムを構築および稼動させるための基盤そのものを、インターネット経由のサービスとして提供するクラウドサービス提供モデルである。
【０１９１】
本類型では、データセンタ運営会社１１１０が、データセンタ（クラウドサーバ）１２０３を運営及び管理している。また、サービスプロバイダ１１２０は、ＯＳ１２０２及びアプリケーション１２０１を管理する。サービスプロバイダ１１２０は、サービスプロバイダ１１２０が管理するＯＳ１２０２及びアプリケーション１２０１を用いてサービスを提供する（矢印１２０４及び矢印１２０５）。
【０１９２】
（サービスの類型３：ＰａａＳ利用型クラウドサービス）
図２８は、サービスの類型３（ＰａａＳ利用型クラウドサービス）における機器制御システムが提供するサービスの全体像を示す図である。ここで、ＰａａＳとは、プラットフォーム・アズ・ア・サービスの略であり、ソフトウェアを構築および稼動させるための土台となるプラットフォームを、インターネット経由のサービスとして提供するクラウドサービス提供モデルである。
【０１９３】
本類型では、データセンタ運営会社１１１０は、ＯＳ１２０２を管理し、データセンタ（クラウドサーバ）１２０３を運営及び管理している。また、サービスプロバイダ１１２０は、アプリケーション１２０１を管理する。サービスプロバイダ１１２０は、データセンタ運営会社１１１０が管理するＯＳ１２０２及びサービスプロバイダ１１２０が管理するアプリケーション１２０１を用いてサービスを提供する（矢印１２０４及び矢印１２０５）。
【０１９４】
（サービスの類型４：ＳａａＳ利用型クラウドサービス）
図２９は、サービスの類型４（ＳａａＳ利用型クラウドサービス）における機器制御システムが提供するサービスの全体像を示す図である。ここで、ＳａａＳとは、ソフトウェア・アズ・ア・サービスの略である。ＳａａＳ利用型クラウドサービスは、例えば、データセンタ（クラウドサーバ）を保有しているプラットフォーム提供者が提供するアプリケーションを、データセンタ（クラウドサーバ）を保有していない会社又は個人などの利用者がインターネットなどのネットワーク経由で使用できる機能を有するクラウドサービス提供モデルである。
【０１９５】
本類型では、データセンタ運営会社１１１０は、アプリケーション１２０１を管理し、ＯＳ１２０２を管理し、データセンタ（クラウドサーバ）１２０３を運営及び管理している。また、サービスプロバイダ１１２０は、データセンタ運営会社１１１０が管理するＯＳ１２０２及びアプリケーション１２０１を用いてサービスを提供する（矢印１２０４及び矢印１２０５）。
【０１９６】
以上、いずれのクラウドサービスの類型においても、サービスプロバイダ１１２０がサービスを提供する。また、例えば、サービスプロバイダ又はデータセンタ運営会社は、ＯＳ、アプリケーション又はビッグデータのデータベース等を自ら開発してもよいし、また、第三者に外注して開発させてもよい。
【産業上の利用可能性】
【０１９７】
本開示の制御方法、制御装置、機器は、家庭で就寝者と非就寝者とが混在する場合において、非就寝者が機器を利用する際の機器の制御に有用である。
【図１】
0006633408.tif 000002
【図２】
0006633408.tif 000003
【図３】
0006633408.tif 000004
【図４】
0006633408.tif 000005
【図５】
0006633408.tif 000006
【図６】
0006633408.tif 000007
【図７】
0006633408.tif 000008
【図８】
0006633408.tif 000009
【図９】
0006633408.tif 000010
【図１０】
0006633408.tif 000011
【図１１】
0006633408.tif 000012
【図１２】
0006633408.tif 000013
【図１３】
0006633408.tif 000014
【図１４】
0006633408.tif 000015
【図１５】
0006633408.tif 000016
【図１６】
0006633408.tif 000017
【図１７】
0006633408.tif 000018
【図１８】
0006633408.tif 000019
【図１９】
0006633408.tif 000020
【図２０】
0006633408.tif 000021
【図２１】
0006633408.tif 000022
【図２２】
0006633408.tif 000023
【図２３】
0006633408.tif 000024
【図２４】
0006633408.tif 000025
【図２５】
0006633408.tif 000026
【図２６】
0006633408.tif 000027
【図２７】
0006633408.tif 000028
【図２８】
0006633408.tif 000029
【図２９】
0006633408.tif 000030